(57)【要約】【課題】広い敷地を確保することが難しい都市部の住宅に適応した伸縮門扉の提供。【解決手段】左右方向に伸縮自在に構成したリンク構成体１と、前後方向に間隔をおいて配置した縦枠２，２を上桟１６で連結して構成してあり前後の縦枠間でリンク構成体１を支持する複数の枠体３と、少なくとも一つの枠体の下端部に固定したキャスター支持具４とを備え、キャスター支持具４は、枠体３の前後方向寸法Ｌ１の少なくとも２倍以上の前後方向寸法Ｌ２を有し、且つ前後方向中央部を除いて前側位置と後側位置とに枠体固定自在部５ａ，５ｂを有し、前後方向の中央部より前側ないし後側のどちらか一方に枠体３を偏らせて固定してあることを特徴とする。【選択図】      図１
2004293166.tif 000002
【特許請求の範囲】
【請求項１】
左右方向に伸縮自在に構成したリンク構成体と、前後方向に間隔をおいて配置した縦枠を上桟で連結して構成してあり前後の縦枠間でリンク構成体を支持する複数の枠体と、少なくとも一つの枠体の下端部に固定したキャスター支持具とを備え、キャスター支持具は、枠体の前後方向寸法の少なくとも２倍以上の前後方向寸法を有し、且つ前後方向中央部を除いて前側位置と後側位置とに枠体固定自在部を有し、前後方向の中央部より前側ないし後側のどちらか一方に枠体を偏らせて固定してあることを特徴とする伸縮門扉。
【発明の詳細な説明】
【０００１】
【発明の属する技術分野】
本発明は伸縮門扉に関するものである。
【０００２】
【従来の技術】
住宅の敷地の入口には、伸縮門扉がよく設置される。伸縮門扉は、左右方向に並べて設けた枠体を、枠体の内部に設けた伸縮自在なリンク構成体によって連結し、いくつかの枠体の下部にキャスター支持具及びキャスターを設けたものとなっている（例えば特許文献１、２参照。）。枠体は、前後方向（見込み方向）の幅がかなりあり、一般的なものでは１００〜１５０ミリの寸法となっている。キャスター支持具は、その枠体の前後に同じ長さだけ飛び出る形で設けてある。また、枠体の一側に目隠し用のパネル等を設けた伸縮門扉において、前後のキャスターに均等に荷重が掛かるようにするために、キャスター支持具の位置を前後方向に調節できるようにしたものもある（特許文献３参照。）。
【０００３】
【特許文献１】
特開平９−２３５９６６号公報
【特許文献２】
実開平３−９８３００号公報
【特許文献３】
実開平６−２８１９６号公報
【０００４】
【発明が解決しようとする課題】
都市部の密集した住宅地では広い敷地を確保することが難しく、家の前に車一台を駐車することさえままならないことも珍しくない。そのような住宅に従来の伸縮門扉を設置した場合、門扉が車と擦れて車を傷付けたり、ひどい時には図９に示すように、車２３を止めると伸縮門扉が閉められなくなることもあった。
【０００５】
本発明は以上に述べた実情に鑑みてなされたものであって、広い敷地を確保することが難しい都市部の住宅に適応した伸縮門扉の提供を目的とする。
【０００６】
【課題を解決するための手段】
上記の課題を達成するために本発明の伸縮門扉は、左右方向に伸縮自在に構成したリンク構成体と、前後方向に間隔をおいて配置した縦枠を上桟で連結して構成してあり前後の縦枠間でリンク構成体を支持する複数の枠体と、少なくとも一つの枠体の下端部に固定したキャスター支持具とを備え、キャスター支持具は、枠体の前後方向寸法の少なくとも２倍以上の前後方向寸法を有し、且つ前後方向中央部を除いて前側位置と後側位置とに枠体固定自在部を有し、前後方向の中央部より前側ないし後側のどちらか一方に枠体を偏らせて固定してあることを特徴とする。なお本発明においては、リンク構成体及び枠体の前後方向寸法は、極力小さくするものとする。
【０００７】
【発明の実施の形態】
以下、本発明の実施の形態を図面に基づいて説明する。図１〜図６は、本発明の伸縮門扉の一実施形態を示している。この伸縮門扉は、図２に示すように、複数の枠体３が左右方向に等間隔で配設され、枠体３内に設けた左右方向に伸縮自在なリンク構成体１が複数の枠体３を繋いでいる。右端の枠体３は右側の支柱６にヒンジ９で連結してあり、左端の枠体３には左側の支柱６への掛け止め具７を有している。さらに左端の枠体３と中間の枠体３の下部には、前後に２ヶのキャスター８が取付けられたキャスター支持具４を固定してある。この伸縮門扉は、図２に示す閉鎖状態から右向きに収縮させると共に、ヒンジ９を支点として回動させることで、支柱６，６間がすっきり開放される。
【０００８】
リンク構成体１は、中空の角棒からなるリンクバー１０ａ，１０ｂをＸ字状に交差して前後に重ね、さらにこれを横方向に複数重ねていって、各交差部に軸１１ａ，１１ｂ，１１ｃを挿通し連結して構成されている。そして、その軸が上下に三つ揃う位置に枠体３が各々設けられている。三つの軸のうち、最も下に位置する軸１１ａは、図４に示すように枠体３の前後の縦枠２，２にビス１２で固定され、真ん中と上の軸１１ｂ，１１ｃは、端部に設けたスライドピース１３により、縦枠２の内側面に設けたガイド溝１４に上下動自在に案内されている。前後のリンクバー１０ａ，１０ｂは、薄いワッシャー１５を挟んで前後に略密着するような形で重ねてあるため、リンク構成体１は前後方向の幅が小さくなっており、それに伴い枠体３の前後方向の寸法Ｌ１も従来のものと比べて非常に小さくなっており、実施予定のものでは７９ミリである。なお枠体３は、前後方向に間隔をおいて配置した縦枠２，２の上端部を上桟１６で連結し、下端部を下桟１７で連結して構成してある。縦枠２は、断面が中空の半円状となっており、その半円状の外側面には樹脂製のクッション材１８を取り付けてある。そのため、仮に車が縦枠２に接触したとしても、車を傷付けるおそれが少ない。
【０００９】
キャスター支持具４は、前後方向に長い帯板状の部材となっており、その前後方向の寸法Ｌ２は、枠体の前後方向の寸法Ｌ１の約３倍となっている。キャスター支持具４の前端部と後端部は側方（右側）に若干張り出し、そこにキャスター８が各々取り付けられている。キャスター８は、キャスターの取付ボルト１９を中心に回動する。キャスター支持具４は、２組のボルト・ナット２０により、枠体３の下桟１７に固定されている。キャスター支持具４には、そのボルトの挿通孔５ａ，５ｂが、前側位置と後側位置の２箇所に設けてあり、枠体３は、キャスター支持具４上の前側ないし後側に偏らせて固定される。なお通常は、図１等に示すように、キャスター支持具４の前側に偏らせて枠体３が固定される。後側にも枠体３を固定できるようにしてあるのは、主に開き勝手が左右どちらでも対応できるようにするためであり、設置状態では前側に枠体３が固定される。また、閉鎖した状態で伸縮門扉が動かないように固定するための落とし棒２１も、前後の縦枠２のいずれにも取付できるように、取付用の孔２２が前後の縦枠２の両方に設けてある。
【００１０】
この伸縮門扉は、枠体３の前後方向の幅が小さく、しかも枠体３がキャスター支持具４の前側に偏らせて固定してあるため、閉鎖状態において占めるスペースが小さく、狭小地にも設置することができる。特に家の前に車を駐車する場合を想定すると、図８に示すように後側のキャスター８が車２３の下に潜り込むので、楽々と駐車することができる。
【００１１】
またキャスター支持具４は、前後逆さまにして使用することもできる。従って枠体３とキャスター支持具４との位置関係は、図６（イ）〜（二）に示す４通りの状態にすることができる。例えば、角地を囲むために伸縮門扉を２基直角に並べて設置する場合など、設置の仕方によってはキャスター８が支柱６等と干渉したり、キャスター８同士が干渉したりするおそれがあり、そのような場合にキャスター支持具４の前後の向きを適宜変更することによって干渉を避けることができ、伸縮門扉の設置の自由度が一層向上する。
【００１２】
図７（イ）（ロ）は、キャスター支持具４の別の実施形態を示している。このキャスター支持具４は、前後方向に等間隔をおいて３ケのボルト挿通孔２４を設けてあり、中心のボルト挿通孔２４を兼用して、枠体３をキャスター支持具４の前側ないし後側に偏って固定できるようにしている。
【００１３】
本発明は、以上に述べた実施形態に限定されない。リンク構成体１は、左右方向に伸縮するものであれば、その構成は問わない。また、キャスター支持具４に設ける枠体固定自在部は、ボルト・ナットを利用したものに限らず、枠体３を、前後方向の中央部を除いた前側ないし後側の所定の位置に固定できる構造となっていればよい。キャスター支持具４に枠体の縦枠２の下端部を直接固定してもよい。キャスター８の付かない枠体３は、前後の縦枠２の下端部を下桟１７で連結してなくてもよい。
【００１４】
【発明の効果】
本発明の伸縮門扉は、キャスター支持具の前側ないし後側のどちらか一方に枠体を偏らせて固定してあるので、枠体及びリンク構成体を道路側に寄せて設置でき、家の前の敷地を広く使えるようになる。そのため、都市部の敷地の狭い住宅に設置するのに適している。キャスター支持具は、枠体の２倍以上の前後方向寸法を有しているので、そのように枠体がキャスター支持具に偏って固定してあっても、本伸縮門扉は十分安定した設置状態となり、動作もスムーズである。また、キャスター支持具には、前側位置と後側位置に枠体固定自在部を有しており、そのどちらにでも枠体を固定できることから、施工する現場に応じてキャスターの設置状態を自由に選択できる。
【図面の簡単な説明】
【図１】キャスターの部分を拡大して示す横断面図である。
【図２】（イ）（ロ）本発明の伸縮門扉の平面図と正面図である。
【図３】キャスターの部分を拡大して示す側面図である。
【図４】枠体の横断面図である。
【図５】キャスターが付かない枠体の側面図である。
【図６】（イ）（ロ）（ハ）（ニ）キャスター支持具の取付状態のバリエーションを示す平面図である。
【図７】（イ）（ロ）キャスター支持具の別の実施形態を示す平面図である。
【図８】本発明の伸縮門扉の使用状態を示す側面図である。
【図９】従来の伸縮門扉の使用状態を示す側面図である。
【符号の説明】
１  リンク構成体
２  縦枠
３  枠体
４  キャスター支持具
５ａ，５ｂ，２４  ボルト挿通孔（枠体固定自在部）
１６  上桟
【図１】
2004293166.tif 000003
【図２】
2004293166.tif 000004
【図３】
2004293166.tif 000005
【図４】
2004293166.tif 000006
【図５】
2004293166.tif 000007
【図６】
2004293166.tif 000008
【図７】
2004293166.tif 000009
【図８】
2004293166.tif 000010
【図９】
2004293166.tif 000011